(57)【要約】【課題】重量物を、より簡易的且つ合理的にパレット上のトレイについて出し入れできるダンボール梱包箱を提供すること。【解決手段】重量物１１をパレット５０上のトレイ２０について搬出入するスロープ１５を形成できるように、トレイ２０の側板２２が底板２１に対して展開可能に折り曲げられて設けられ、スロープ１５を支持できるように一端から他端に向かって徐々に厚みを増す形状に設けられ、重量物１１が搬送される際にはその重量物１１と外側板３０ａの内面との間に詰められて緩衝材として配置され、重量物１１がパレット５０上のトレイ２０について搬出入する際には展開された側板２２の下側に敷かれて重量物１１が通るスロープ１５の支持材となるスロープ形状のパッド４０とを備える。【選択図】図１
2010208672.tif 000002
【特許請求の範囲】
【請求項１】
キャスタ付きの重量物をパレットの上に載せて搬送する際に用いられ、前記パレットの上に位置する底板及び少なくとも一面の側板によって構成されて前記重量物が載せられるトレイと、該トレイに上方から外嵌して前記重量物を内包するように底のない矩形の箱状で四面の外側板を有する外装とを備えて、前記トレイと前記外装とが上下に分離できるように設けられたダンボール梱包箱であって、
前記重量物を前記パレット上の前記トレイについて搬出入するスロープを形成できるように、前記トレイの前記側板が前記底板に対して展開可能に折り曲げられて設けられ、
前記スロープを支持できるように一端から他端に向かって徐々に厚みを増す形状に設けられ、前記重量物が搬送される際には該重量物と前記外側板の内面との間に詰められて緩衝材として配置され、前記重量物が前記パレット上の前記トレイについて搬出入する際には展開された前記側板の下側に敷かれて前記重量物が通るスロープの支持材となるスロープ形状のパッドとを備えることを特徴とするダンボール梱包箱。
【請求項２】
前記スロープ形状のパッドは、前記外装内の前後及び左右のうちの二箇所に詰められると共に、二つを並べることで前記スロープを支持するように、一対が設けられていることを特徴とする請求項１記載のダンボール梱包箱。
【請求項３】
前記スロープ形状のパッドは、発泡樹脂材によって設けられていることを特徴とする請求項１又は２記載のダンボール梱包箱。
【請求項４】
前記パレットは、運搬機のフォークを挿入できるように形成され、前記トレイの下側に固定されていることを特徴とする請求項１〜３のいずれかに記載のダンボール梱包箱。
【請求項５】
前記パレットは、ダンボール紙を加工して形成され、前記トレイに接着によって固定されていることを特徴とする請求項１〜４のいずれかに記載のダンボール梱包箱。
【発明の詳細な説明】
【技術分野】
【０００１】
本発明は、機械装置製品等のキャスタ付きの重量物を、パレットの上に載せて搬送する際に用いられるダンボール梱包箱に関する。
【背景技術】
【０００２】
従来から、パレットの上に位置する底板及び少なくとも一面の側板によって構成されて重量物が載せられるトレイと、そのトレイに上方から外嵌して重量物を内包するように底のない矩形の箱状で四面の外側板を有する外装とを備えて、そのトレイと外装とが上下に分離できるように設けられたダンボール梱包箱がある。
【０００３】
そのようなダンボール梱包箱に収納された重量物を、目的の設置場所へ運送及び搬出入する際には、フォークリフトの爪（フォーク）を挿入できる被挿入空隙を有するパレットが用いられる。このパレットには、高さ方向に所要の厚みがあり、そのパレットから前述の重量物を降ろすには、人手によって持ち上げて降ろすか、吊り上げ装置を用いている。
しかし、通常の設置場所は、吊り上げ装置を入れることが困難な場合がほとんどであり、人手によって持ち上げるには大変な重労働となっていた。なお、重量物では、その移動性を高めるためにキャスタの装着されている場合が多い。
【０００４】
これに対して、矩形状の底板と、その底板の上部に位置して実質上同一形状を有し、所定の物品が載置される天板と、その底板と天板との間隙にフォークリフトのフォーク挿入用空間が形成されるように、所定の間隔を置いて互いに平行に設けられて両板を接合する複数の筒状部材と、その筒状部材の内部に着脱自在に挿入された補強ロッドとからなるパレット及びパレット付梱包ケースが提案されている（特許文献１参照）。
【先行技術文献】
【特許文献】
【０００５】
【特許文献１】特開２００５−６７６８９号公報（第１頁）
【発明の概要】
【発明が解決しようとする課題】
【０００６】
ダンボール梱包箱に関して解決しようとする問題点は、吊り下げ装置を用いることなく、より簡易的且つ合理的に、重量物をパレット上のトレイについて出し入れできるダンボール梱包箱が提案されていないことにある。
なお、前記先行技術では、重量物をパレットから降ろすことはできるが、反対にその重量物をパレット上に載せることは難しい構成になっている。また、補強ロッドという特別な構成を必要とし、その補強ロッドを引き抜く作業は重労働になり易いという課題もある。
そこで本発明の目的は、重量物を、より簡易的且つ合理的にパレット上のトレイについて出し入れできるダンボール梱包箱を提供することにある。
【課題を解決するための手段】
【０００７】
本発明は、上記目的を達成するために次の構成を備える。
本発明にかかるダンボール梱包箱の一形態によれば、キャスタ付きの重量物をパレットの上に載せて搬送する際に用いられ、前記パレットの上に位置する底板及び少なくとも一面の側板によって構成されて前記重量物が載せられるトレイと、該トレイに上方から外嵌して前記重量物を内包するように底のない矩形の箱状で四面の外側板を有する外装とを備えて、前記トレイと前記外装とが上下に分離できるように設けられたダンボール梱包箱であって、前記重量物を前記パレット上の前記トレイについて搬出入するスロープを形成できるように、前記トレイの前記側板が前記底板に対して展開可能に折り曲げられて設けられ、前記スロープを支持できるように一端から他端に向かって徐々に厚みを増す形状に設けられ、前記重量物が搬送される際には該重量物と前記外側板の内面との間に詰められて緩衝材として配置され、前記重量物が前記パレット上の前記トレイについて搬出入する際には展開された前記側板の下側に敷かれて前記重量物が通るスロープの支持材となるスロープ形状のパッドとを備える。
【０００８】
また、本発明にかかるダンボール梱包箱の一形態によれば、前記スロープ形状のパッドは、前記外装内の前後及び左右のうちの二箇所に詰められると共に、二つを並べることで前記スロープを支持するように、一対が設けられていることを特徴とすることができる。
また、本発明にかかるダンボール梱包箱の一形態によれば、前記スロープ形状のパッドは、発泡樹脂材によって設けられていることを特徴とすることができる。
【０００９】
また、本発明にかかるダンボール梱包箱の一形態によれば、前記パレットは、運搬機のフォークを挿入できるように形成され、前記トレイの下側に固定されていることを特徴とすることができる。
また、本発明にかかるダンボール梱包箱の一形態によれば、前記パレットは、ダンボール紙を加工して形成され、前記トレイに接着によって固定されていることを特徴とすることができる。
【発明の効果】
【００１０】
本発明にかかるダンボール梱包箱によれば、重量物を、より簡易的且つ合理的にパレット上のトレイについて出し入れできるという特別有利な効果を奏する。
【図面の簡単な説明】
【００１１】
【図１】本発明に係るダンボール梱包箱の形態例を示す組立展開斜視図である。
【図２】図１の形態例の重量物を収納した状態の組立斜視図である。
【図３】図１の形態例の重量物を収納した状態の内部を透視した側面図である。
【図４】図１の形態例の側板を展開した状態の側面図である。
【図５】図１の形態例のトレイの側板を展開した状態の斜視図である。
【発明を実施するための形態】
【００１２】
以下、本発明にかかるダンボール梱包箱について最良の形態例を添付図面（図１〜５）に基づいて詳細に説明する。
このダンボール梱包箱１０は、図１に点線で示したようなキャスタ１２付きの重量物１１をパレット５０の上に載せて搬送する際に用いられ、その重量物１１を適切に収納できる。
【００１３】
２０はトレイであり、パレット５０の上に位置する底板２１及び少なくとも一面の側板２２によって構成されて、その底板２１の上に重量物１１が載せられる。
このトレイ２０には、重量物１１をパレット５０上に置かれたトレイ２０について搬出入するためのスロープ１５（図４及び５参照）を形成できるように、スロープ用の側板２２が底板２１に対して展開可能に折り曲げられて設けられている。なお、本形態例では、側面の一面だけをスロープ用の側板２２としたが、他の側面を同様に形成してもよい。
【００１４】
このトレイ２０は、ダンボール紙を折り曲げることによって形成されている。また、本形態例では図１に示すように、スロープ用の側板２２に加えて、他の三面についても高さ方向の寸法が短い側板２３、２４ａ、２４ｂが設けられ、底（底板２１）の有る矩形の浅い箱状に形成されている。また、本形態例のスロープ用の側板２２は、水平断面がコの字になるように両脇の部分２２ａが折り曲げられ、形態を好適に保つことのできる補強形状になっている。このスロープ用の側板２２に対面する短い側板２３の両脇の部分も折り曲げ部になっていて保形性を高めている。なお、２５は接着テープであり、トレイ２０が矩形の箱状の形態を保つように、側板２２、２３、２４ａ、２４ｂを固定している。
【００１５】
３０は外装であり、トレイ２０に上方から外嵌して重量物１１を内包するように底のない矩形の箱状で四面の外側板３０ａを有する。このように外装３０が設けられているため、トレイ２０と外装３０とが、上下に分離できるようになっている。また、この外装３０は、図１に示すように上面３０ｂで折蓋３３によって箱が開閉できるように設けられている。
【００１６】
４０はスロープ形状のパッドであり、スロープ１５を支持できるように一端から他端に向かって徐々に厚みを増す形状に設けられている。このスロープ形状のパッド４０は、重量物１１が搬送される際にはその重量物１１と外側板３０ａの内面との間に詰められて緩衝材として配置される。本形態例では、図３に示すように、スロープ形状のパッド４０の尖った先端を上にして箱内に詰められ、緩衝材として機能している。また、重量物１１がパレット５０上のトレイ２０について搬出入する際には展開された側板２２の下側に敷かれて重量物１１が通るスロープ１５の支持材となる。
【００１７】
スロープ形状のパッド４０は、実質的に楔型であり、テーパ状、或いは断面が細長い直角三角形状になっている。この形態によれば、スロープ１５を好適に支持して補強するように機能する。
このように補強されたスロープ１５によって、パレット５０によって床との間に生じる段差を好適に解消することができる。従って、このスロープ１５の斜面を使って、重量物１１をスムースに降ろしたり、反対に積み込むことができる。
【００１８】
つまり、スロープ用の側板２２とスロープ形状のパッド４０によって形成されたスロープ１５は、キャスタ付き製品等の重量物１１の重さに耐え、スロープ１５の変形を抑制することができる。ダンボール紙を加工して成形した梱包箱であっても、重量物を好適に搬出入できる。そして、その構成は、従来の梱包箱の形態をほとんど変化させることなく実現できる。
【００１９】
このように、スロープ１５を好適に形成することができるため、重量物１１をトレイ２０から容易且つ安全に搬出できるだけでなく、トレイ２０へ容易且つ安全に搬入することができる。従って、機械装置等の重量物１１を、保守点検やオーバーホールのため回収する際にも好適に利用することができる。
【００２０】
また、スロープ形状のパッド４０は、外装３０内の前後及び左右のうちの二箇所に詰められる（図３参照）と共に、二つを並べることでスロープを支持する（図５参照）ように、一対が設けられているようにしてもよい。
【００２１】
さらに、スロープ形状のパッド４０は、発泡樹脂材によって設けられているようにしてもよい。発泡樹脂材によれば、衝撃を適切に吸収でき、軽量であるため容易に配置できる。また、安価であるため、経済性にも優れている。この発泡樹脂材としては、発泡スチロールや、発泡ウレタンを利用することができる。
なお、このスロープ形状のパッド４０は、ダンボール紙を加工して形成することもできる。これによれば、ダンボール梱包箱１０の全ての構成をダンボール紙によって形成することができ、リサイクル性を向上できる。
【００２２】
パレット５０は、フォークリフト等の運搬機の爪（フォーク）を挿入できるように形成され、トレイ２０の下側に固定されている形態とすることができる。５１はパレットの天板であり、５２はパレットの底板である。また、５３は間隔部材であり、天板５１と底板５２の間に配されて一体化されている。これにより、フォークが挿入される空間５４が形成されている。
また、本形態例のパレット５０は、ダンボール紙を加工して形成され、トレイ２０に接着によって固定されている。５５は接着剤であり、例えば図１に示すように部分的であって複数個所に配することで、トレイ２０をパレット５０に固定すればよい。
【００２３】
このように、ダンボール梱包箱１０の全ての構成をダンボール紙によって形成することができ、軽量化とコストの低減を図ることができる。
なお、パレット５０とトレイ２０の固定方法は上記の形態例に限定されず、例えば、ステープラによって金属の針で綴じる方法を用いることもできる。また、パレット５０はこれに限定されるものではなく、例えばその材質が樹脂製や木製であってもよい。
【００２４】
また、図１及び３に示すように、２６は上パッドであり、重量物１１を上から押さえて保持するように配されている。さらに、２７はコーナーのパッドであり、重量物１１の下側のコーナー部に当てられるように配されて重量物１１が動かないように保持する。また、２８は側面のパッドであり、重量物１１の下側の側辺に当てられ、重量物１１を保護するように配されている。なお、２９は重量物を包む樹脂袋である。
【００２５】
以上の構成を有するダンボール梱包箱１０によれば、図２に示すように組み立てられ、重量物を梱包して搬送される。そして、重量物１１を出し入れする際には、接着テープ２５を外してスロープ用の側板２２を展開し、スロープ形状のパッド４０と共にスロープ１５を形成する。この作業は極めて簡単に行うことができ、作業効率を向上できる。
なお、図２に示した３１は接着テープであり、折蓋３３によって塞がれた外装３０の上面３０ｂを閉じている。また、３２は荷を縛る紐である。
【００２６】
以上、本発明につき好適な形態例を挙げて種々説明してきたが、本発明はこの形態例に限定されるものではなく、発明の精神を逸脱しない範囲内で多くの改変を施し得るのは勿論のことである。
【符号の説明】
【００２７】
１０  ダンボール梱包箱
１１  重量物
１５  スロープ
２０  トレイ
２１  底板
２２  側板
３０  外装
４０  スロープ形状のパッド
５０  パレット
【図１】
2010208672.tif 000003
【図２】
2010208672.tif 000004
【図３】
2010208672.tif 000005
【図４】
2010208672.tif 000006
【図５】
2010208672.tif 000007